(57)【要約】【課題】携帯電話機と音楽再生機とを組み合わせて使用する際の使い勝手を大幅に向上させる。【解決手段】音楽再生システムは、携帯電話機１０と音楽再生機２０とを接続し、携帯電話機１０の着信を音楽再生機２０へと伝達するものである。携帯電話機１０には、着信した音声信号をブルートゥース通信によって音楽再生機２０へと送信するとともに、音楽再生機２０から送信された音声信号を受信するブルートゥースユニット１０ａが設けられる。一方、音楽再生機２０には、ブルートゥースユニット１０ａを介して携帯電話機１０から送信された音声信号を受信するとともに、送話器２３を介して入力された音声信号をブルートゥースユニット１０ａを介して携帯電話機１０へと送信するブルートゥースユニット２０ａが設けられる。【選択図】  図１
2004254023.tif 000002
【特許請求の範囲】
【請求項１】
携帯電話機と音楽再生機とを接続し、上記携帯電話機の着信を上記音楽再生機へと伝達する音楽再生システムであって、
上記携帯電話機に設けられ、上記携帯電話機によって着信した音声信号を無線通信によって上記音楽再生機へと送信するとともに、上記音楽再生機から送信された音声信号を受信する第１の無線通信手段と、
上記音楽再生機に設けられ、上記第１の無線通信手段を介して上記携帯電話機から送信された音声信号を受信するとともに、入力された音声信号を上記第１の無線通信手段を介して上記携帯電話機へと送信する第２の無線通信手段とを備えること
を特徴とする音楽再生システム。
【請求項２】
上記第１の無線通信手段及び上記第２の無線通信手段は、それぞれ、アナログの音声信号を所定のフォーマットからなるディジタルの音声信号に変換する変換手段を有すること
を特徴とする請求項１記載の音楽再生システム。
【請求項３】
上記第１の無線通信手段及び上記第２の無線通信手段は、それぞれ、ブルートゥース通信を行うものであること
を特徴とする請求項１記載の音楽再生システム。
【発明の詳細な説明】
【０００１】
【発明の属する技術分野】
本発明は、携帯電話機と音楽再生機とを接続し、携帯電話機の着信を音楽再生機へと伝達する音楽再生システムに関する。
【０００２】
【従来の技術】
近年、携帯電話機が著しく普及しているが、この携帯電話機の使用形態として、通常のように本体を耳にあてがって行う通話のみならず、ヘッドホンやイヤホン等の受話器とマイク等の送話器とを設けたハンドフリーキットを用いた通話も行われている。
【０００３】
また、近年では、例えばコンパクトディスク、ミニディスク、又はメモリカードといった各種記録媒体に記録された音楽データを再生する音楽再生機が著しく普及しているが、この音楽再生機としても、屋内等に設置される音楽再生機の他、小型且つ軽量に構成された携帯型の音楽再生機が普及している。
【０００４】
これらハンドフリー型の携帯電話機と携帯型の音楽再生機は、ともに、ヘッドホンやイヤホンを介して音声を聴取するものである。したがって、例えば、音楽再生機を用いて音楽を聴取している最中に、携帯電話機の着信があったときには、音楽再生機の受話器を取り外し、携帯電話機のハンドフリーキットを取り付ける、といった煩雑な動作が必要となる。
【０００５】
このような問題を解決するために、例えば特許文献１に記載された技術のように、音楽再生機を使用中に携帯電話機の着信があった際における両者の使用の切り替えを容易に行うことを可能とする技術が提案されている。
【０００６】
【特許文献１】
特開平１０−２００９９０号公報
【０００７】
【発明が解決しようとする課題】
ところで、上述した特許文献１に記載された技術をはじめとし、携帯電話機と音楽再生機との使い分けを容易にする技術、すなわち、携帯電話機における着信機能を付加した音楽再生システムは、図３に示すように、携帯電話機１００と音楽再生機１１０とを所定のケーブル１２０を介して接続するものが一般的である。そして、従来の音楽再生システムは、音楽再生機１１０に対してマイク等の送話器１３０を接続するか又は音楽再生機１１０に内蔵させるとともに、所定のケーブル１４０を介してイヤホン等の受話器１５０を接続する。これにより、音楽再生システムは、音楽再生機１１０によって再生される音楽データを聴取している最中に携帯電話機１００の着信があった場合には、ケーブル１２０を介して携帯電話機１００から音楽再生機１１０に対して通話相手の音声信号が供給され、この音声信号がケーブル１４０を介して受話器１５０に伝達されるとともに、送話器１４０を介して入力された使用者の音声信号がケーブル１２０を介して音楽再生機１１０から携帯電話機１００に対して供給されることになる。
【０００８】
このように、従来の音楽再生システムは、ケーブル１２０を介して携帯電話機１００と音楽再生機１１０とを接続することから、ケーブル１２０の引き回しの制約が大きく、使い勝手があまりよくないという問題があった。
【０００９】
本発明は、このような実情に鑑みてなされたものであり、携帯電話機と音楽再生機とを組み合わせて使用する際の使い勝手を大幅に向上させることができる音楽再生システムを提供することを目的とする。
【００１０】
【課題を解決するための手段】
上述した目的を達成する本発明にかかる音楽再生システムは、携帯電話機と音楽再生機とを接続し、上記携帯電話機の着信を上記音楽再生機へと伝達する音楽再生システムであって、上記携帯電話機に設けられ、上記携帯電話機によって着信した音声信号を無線通信によって上記音楽再生機へと送信するとともに、上記音楽再生機から送信された音声信号を受信する第１の無線通信手段と、上記音楽再生機に設けられ、上記第１の無線通信手段を介して上記携帯電話機から送信された音声信号を受信するとともに、入力された音声信号を上記第１の無線通信手段を介して上記携帯電話機へと送信する第２の無線通信手段とを備えることを特徴としている。
【００１１】
このような本発明にかかる音楽再生システムは、携帯電話機と音楽再生機との間で無線通信を用いた音声伝送を行うことにより、携帯電話機と音楽再生機とをケーブルによって物理的に接続する必要がなくなる。その結果、本発明にかかる音楽再生システムは、使い勝手を大幅に向上させることができる。
【００１２】
ここで、上記第１の無線通信手段及び上記第２の無線通信手段は、それぞれ、アナログの音声信号を所定のフォーマットからなるディジタルの音声信号に変換する変換手段を有するものである。
【００１３】
また、上記第１の無線通信手段及び上記第２の無線通信手段は、それぞれ、ブルートゥース通信を行うものであることが望ましい。
【００１４】
【発明の実施の形態】
以下、本発明を適用した具体的な実施の形態について図面を参照しながら詳細に説明する。
【００１５】
この実施の形態は、携帯電話機と、例えばコンパクトディスク、ミニディスク、又はメモリカードといった各種記録媒体に記録された音楽データを再生する携帯型の音楽再生機とを組み合わせて使用する音楽再生システムであり、音楽再生機を使用中に携帯電話機の着信があった際に、当該着信を音楽再生機へと伝達し、両者の使用の切り替えることができるものである。特に、この音楽再生システムは、従来では所定のケーブルを用いて接続していた携帯電話機と音楽再生機とを、無線通信を用いて接続することにより、使い勝手の大幅な向上を図るものである。
【００１６】
なお、以下では、携帯電話機と音楽再生機とを接続する無線通信技術として、パーソナルコンピュータや携帯電話機といった各種端末やその周辺機器を相互にワイヤレス接続するための近距離無線通信技術として近年着目されているいわゆるブルートゥース（Ｂｌｕｅｔｏｏｔｈ（登録商標））を用いるものとして説明する。
【００１７】
音楽再生システムは、図１に示すように、携帯電話機１０と、音楽再生機２０とを備える。
【００１８】
携帯電話機１０には、ブルートゥース通信を行うためのブルートゥースユニット１０ａが設けられる。
【００１９】
ブルートゥースユニット１０ａは、図２に示すように、いわゆるＣＶＳＤ（Ｃｏｎｔｉｎｕｏｕｓ  Ｖａｒｉａｂｌｅ  Ｓｌｏｐｅ  Ｄｅｌｔａ  Ｍｏｄｕｌａｔｉｏｎ）フォーマットやｌｏｇ  ＰＣＭ（Ｐｕｌｓｅ  Ｃｏｄｅ  Ｍｏｄｕｌａｔｉｏｎ）フォーマットに対応したコーデック３１と、各部を制御する制御部３２と、外部との間でデータの送受信を行う送受信部３３とを有する。
【００２０】
携帯電話機１０は、着信時には、アナログの音声信号を、ブルートゥースユニット１０ａにおけるコーデック３１によってディジタルのブルートゥースオーディオパケット（ＨＶパケット）に変換し、このブルートゥースオーディオパケットを、送受信部３３及びアンテナ３３ａを介して音楽再生機２０へと送信する。また、携帯電話機１０は、音楽再生機２０から送信されたブルートゥースオーディオパケットを、送受信部３３及びアンテナ３３ａを介して受信し、このブルートゥースオーディオパケットを、コーデック３１によってアナログの音声信号に変換して出力する。
【００２１】
一方、音楽再生機２０にも、ブルートゥースユニット１０ａと同様の構成からなるブルートゥースユニット２０ａが設けられる。
【００２２】
音楽再生機２０は、携帯電話機１０から送信されたブルートゥースオーディオパケットを、ブルートゥースユニット２０ａにおける送受信部３３及びアンテナ３３ａを介して受信すると、このブルートゥースオーディオパケットを、コーデック３１によってアナログの音声信号に変換し、所定のケーブル２１を介してヘッドホンやイヤホン等の受話器２２に出力する。また、音楽再生機２０は、接続されたマイクや内蔵マイク等の送話器２３を介して入力された使用者の音声といったアナログの音声信号を、コーデック３１によってディジタルのブルートゥースオーディオパケットに変換し、このブルートゥースオーディオパケットを、送受信部３３及びアンテナ３３ａを介して携帯電話機１０へと送信する。
【００２３】
このような音楽再生システムは、音楽再生機２０によって再生される音楽データを聴取している最中に携帯電話機１０の着信があった場合には、ブルートゥースユニット１０ａ，２０ａを介して携帯電話機１０から音楽再生機２０に対して通話相手の音声信号が供給され、この音声信号がケーブル２１を介して受話器２２に伝達されるとともに、送話器２３を介して入力された使用者の音声信号がブルートゥースユニット２０ａ，１０ａを介して音楽再生機２０から携帯電話機１０に対して供給される。
【００２４】
このように、音楽再生システムは、携帯電話機１０と音楽再生機２０との間でブルートゥース通信を用いた音声伝送を行うことにより、携帯電話機１０と音楽再生機２０とをケーブルによって物理的に接続する必要がなく、使い勝手を大幅に向上させることができる。
【００２５】
なお、本発明は、上述した実施の形態に限定されるものではない。例えば、上述した実施の形態では、音楽再生機２０と受話器２２とを所定のケーブル２１を介して接続するものとして説明したが、本発明は、この接続にもブルートゥース通信を適用することも可能である。
【００２６】
特に、通常の携帯電話機や音楽再生機は、オーディオジャックが１つしか設けられていないものが多いが、音楽再生システムは、ブルートゥースユニット２０ａを音楽再生機２０におけるオーディオジャックと受話器２２との間に設けることにより、既存の受話器２２を用いて再生された音楽データを聴取しながら、当該受話器２２を介してブルートゥース通信を行うことが可能となる。
【００２７】
すなわち、音楽再生システムは、携帯電話機１０を含め、既存の通信機器の用途を全く損なうことなく、ブルートゥース通信を行うことができ、利便を格段に向上させることができるものである。
【００２８】
また、上述した実施の形態では、携帯電話機１０と音楽再生機２０とをブルートゥース通信を用いて接続するものとして説明したが、本発明は、無線通信の種別に拘泥するものではなく、同じ目的を達成するものであれば、任意の無線通信を適用することができる。
【００２９】
このように、本発明は、その趣旨を逸脱しない範囲で適宜変更が可能であることはいうまでもない。
【００３０】
【発明の効果】
以上詳細に説明したように、本発明にかかる音楽再生システムは、携帯電話機と音楽再生機との間で無線通信を用いた音声伝送を行うことにより、携帯電話機と音楽再生機とをケーブルによって物理的に接続する必要がなくなる。その結果、本発明にかかる音楽再生システムは、ケーブルの引き回しの制約がなくなり、使い勝手を大幅に向上させることができ、また、既存の通信機器の用途を全く損なうことなく、無線通信を行うことができる。
【図面の簡単な説明】
【図１】本発明の実施の形態として示す音楽再生システムの構成を説明する図である。
【図２】同音楽再生システムに設けられるブルートゥースユニットの構成を説明するブロック図である。
【図３】従来の音楽再生システムの構成を説明する図である。
【符号の説明】
１０            携帯電話機
１０ａ，２０ａ  ブルートゥースユニット
２０            音楽再生機
２１            ケーブル
２２            受話器
２３            送話器
３１            コーデック
３２            制御部
３３            送受信部
【図１】
2004254023.tif 000003
【図２】
2004254023.tif 000004
【図３】
2004254023.tif 000005